(57)【特許請求の範囲】
【請求項１】
放熱板をＩＣと共に固定した印刷配線基板を取り付けた副体キャビネットと、当該副体キャビネットを固定すると共に前記放熱板の貫通孔を形成した木製の本体キャビネットと、少なくとも一方に弾性取付片を有する放熱器と、前記放熱器と前記放熱板及び前記木製の本体キャビネットとをそれぞれ螺合固定する第１のビス及び第２のビスとを備え、前記第１のビスは前記放熱器が備える第１の取付孔と放熱板が備える取付孔とを密着固定し、前記第２のビスは前記弾性取付片が備える第２の取付孔と前記木製の本体キャビネットが備える取付孔とを固定するように構成したことを特徴とする放熱器取付装置。
【請求項２】
印刷配線基板の放熱板突出側における副体キャビネットに当接リブを突出形成し、かつ前記当接リブ先端より突出する放熱板の突出寸法を一定になるように保持して、木製の本体キャビネットにおける放熱器取付面の内面に当接させるように構成したことを特徴とする請求項１記載の放熱器取付装置。
【発明の詳細な説明】
【０００１】
【発明の属する技術分野】
本発明は、本体キャビネットに放熱器を具備した音響機器の放熱器取付装置に関するものである。
【０００２】
【従来の技術】
図４は従来の放熱器取付装置を示すものである。図４において、所定の回路を構成した印刷配線基板１１にＩＣ１２が半田付けされ、そのＩＣ１２の発熱を放熱する目的で放熱器１３をＩＣ１２にビスで密着締結している。放熱器１３はアルミ製の放熱器ベース１３ａに、数枚のアルミ製のフィン１３ｂをカシメ工法により構成されており、かなりの重量を有している。そのため放熱器１３を支持するための取付片１４を放熱器１３に取り付け、それをシャーシ１５にビス締めしている。背面板１６は前記構成をした後に放熱器１３の背後から取り付け、さらに十分な放熱孔を開けた背面パネル１７を同方向よりビス締めするように構成されている。
【０００３】
【発明が解決しようとする課題】
このような放熱器取付装置においては、シャーシ１５に対して順次組み上げてキャビネットを構成していく為、すでにキャビネットを構成したものに放熱器１３、印刷配線基板１１を取り付けていく工法が出来ない場合があった。
【０００４】
本発明は上記従来の問題点に鑑み、すでにキャビネットを構成したものに放熱器、印刷配線基板を取り付け出来、部品同士の取り付けズレを吸収出来る放熱器取付装置を提供することを目的としてなされたものである。
【０００５】
【課題を解決するための手段】
この課題を解決するために本発明の放熱器取付装置は、放熱板をＩＣと共に固定した印刷配線基板を取り付けた副体キャビネットと、当該副体キャビネットを固定すると共に前記放熱板の貫通孔を形成した木製の本体キャビネットと、少なくとも一方に弾性取付片を有する放熱器と、前記放熱器と前記放熱板及び前記木製の本体キャビネットとをそれぞれ螺合固定する第１のビス及び第２のビスとを備え、前記第１のビスは前記放熱器が備える第１の取付孔と放熱板が備える取付孔とを密着固定し、前記第２のビスは前記弾性取付片が備える第２の取付孔と前記木製の本体キャビネットが備える取付孔とを固定するように構成したものであり、これにより、組立工法上の制約を受けず、部品同士の取り付けズレを吸収出来る放熱器取付装置が得られる。
【０００６】
【発明の実施の形態】
本発明の請求項１に記載の発明は、放熱板をＩＣと共に固定した印刷配線基板を取り付けた副体キャビネットと、当該副体キャビネットを固定すると共に前記放熱板の貫通孔を形成した木製の本体キャビネットと、少なくとも一方に弾性取付片を有する放熱器と、前記放熱板と前記放熱器とを螺合固定する第１のビス及び第２のビスとを備え、前記第１のビスは前記放熱器と放熱板とを密着固定し、前記第２のビスは前記放熱器と前記木製の本体キャビネットとを前記弾性取付片を介して固定するように構成したものであり、従来の放熱器を放熱板と放熱器に分割する事により組立工法上の制約を受けず、且つ該放熱器の弾性片により本体キャビネットを木製にすることに起因する部品同士の取り付けズレ吸収するという作用を有する。
【０００７】
請求項２に記載の発明は、印刷配線基板の放熱板突出側における副体キャビネットに当接リブを突出形成し、かつ前記当接リブ先端より突出する放熱板の突出寸法を一定になるように保持して、木製の本体キャビネットにおける放熱器取付面の内面に当接させるように構成したものであり、部品同士のズレを更に吸収するという作用を有する。
【０００８】
以下本発明の実施の形態について、図１から図３を用いて説明する。
（実施の形態１）
図１は本発明の第１の実施の形態における放熱器取付装置の全体図を示し、図２はその要部断面図を示す。
【０００９】
図において、９は本体キャビネットで木製の木箱であり、上面に角状の開口部９ａを、背面板９ｂには放熱板貫通孔９ｃを形成している。８は副体キャビネットで本体キャビネット９に開けた角状の開口部９ａをふさぐ形でビス固定されるようなっており、放熱板４をＩＣ２と共に固定した印刷配線基板１を取り付けている。７は背面パネルで内側に放熱器３を収納配置するようにしており、本体キャビネット９の背面板９ｂにビス固定されるようになっている。
【００１０】
印刷配線基板１は、ＩＣ２を半田付けして固定すると共に、放熱板４を印刷配線基板１に対して締結脚４ａを挿入の後、ひねる事によって固定し、ＩＣ２との密着固定をビス２ａで行っている。印刷配線基板１は、副体キャビネット８に設けたボス８ａにビス８ｂで固定され、更に副体キャビネット８は本体キャビネット９にビス８ｃで固定されている。本体キャビネット９の開口部９ａと、副体キャビネット８は若干の隙間を持って構成されている。
【００１１】
放熱器３は、放熱器ベース３ａ及びこの放熱器ベース３ａに設けた取付孔３ｂと、その左右端に一体に形成した弾性取付片３ｃ及びこの弾性取付片３ｃの先端部に設けた取付孔３ｄとを有している。そして、取付孔３ｂを放熱板４に設けた取付孔４ａにビス３ｅによって固定すると共に、取付孔３ｄを本体キャビネット９の背面板９ｂに設けた取付孔９ｄにビス３ｆによって固定するようにしている。ここで、放熱器３と放熱板４との熱伝導を行うため、ビス３ｅによる固定は密 着固定されている。
【００１２】
本体キャビネット９は木製のため、予め箱型に形成されている。このため印刷配線基板１を取り付けた副体キャビネット８を、上から組み付けるには若干斜め上方から入れるとしても、従来のように放熱器３を直接ＩＣ２に取り付ける構成では開口部９ａから大きく出っ張るため組立工法上無理であった。このため本発明では従来の放熱器を、ＩＣ２とともに印刷配線基板上でディップ工法で半田付け出来る放熱板４と、放熱効果をセット外気で上げる為の放熱器３に分けるようにしている。
【００１３】
また、弾性片３ｃは従来の成形キャビネットに比べて寸法バラツキの大きい木製キャビネットの寸法ズレ吸収や、前記開口部９ａと副体キャビネット８の隙間による取付ズレ吸収が出来るようになっている。
【００１４】
以上のように本実施形態によれば、放熱器の大きさからくる組立工法上の制約を受けない放熱器取付装置を提供できることや、部品同士の取り付けズレを吸収できる放熱器取付装置を提供出来るものである。
【００１５】
（実施の形態２）
次に、図３は第２の実施の形態の放熱器取付装置を示し、図３において、８ａは印刷配線基板１の放熱板４突出側における副体キャビネット８に突出形成した当接リブであり、副体キャビネット８に一体に形成しており、当該当接リブ８ａの先端より突出する放熱板４の突出寸法を一定になるように保持している。そして、副体キャビネット８を本体キャビネット９に取り付ける際、開口部９ａとの隙間による左右ズレを無くすため当接リブ８ａを本体キャビネット９の背面板９ｂの内面に当てるように構成し、放熱板４と放熱器３とのズレが背面板９ｂの板厚公差になるようにしている。
【００１６】
【発明の効果】
以上のように本発明によれば、放熱器の大きさからくる組立工法上の制約を受けない放熱器取付装置を提供できることや、部品同士の取り付けズレを吸収できる放熱器取付装置を提供出来るという有利な効果が得られる。
【図面の簡単な説明】
【図１】  本発明の一実施の形態による放熱器取付装置の全体図
【図２】  本発明の一実施の形態による放熱器取付装置の断面図
【図３】  本発明の第２の実施の形態による放熱器取付装置の断面図
【図４】  従来の放熱器取付装置の断面図
【符号の説明】
１  印刷配線基板
２  ＩＣ
３  放熱器
３ｃ  弾性取付片
４  放熱板
８  副体キャビネット
８ａ  当接リブ
９  本体キャビネット
【図１】
0003738543.tif 000002
【図２】
0003738543.tif 000003
【図３】
0003738543.tif 000004
【図４】
0003738543.tif 000005